(57)【要約】      （修正有）【課題】筒編地をそのまま使用して踵部のない二重編靴下を提供する。【解決手段】踵部のない二重編靴下であって、筒編地を二重にして、該筒編地の両端を重ねて弧状に縫合し、爪先の先端部とした二重編靴下と、また踵部のない二重編靴下３１であって、筒編地３２を二重にして、該筒編地３２の両端を夫々弧状に縫合し、爪先の先端部３４とした二重編靴下３１と、さらに踵部のない二重編靴下であって、爪先部以外の筒編地を二重にし、爪先部を一重に形成して、該爪先部上方の捨糸部で縫合した二重編靴下と、そしてまた踵部のない二重編靴下をＫ式靴下編機で編成し、爪先部以外の筒編地が二重になるようにメークアップ編成し、トランスファーして一重の爪先部を形成し、該爪先部上方の捨糸部で縫合した二重編靴下の製造方法とを構成するものである。【選択図】      図４
2004197288.tif 000002
【特許請求の範囲】
【請求項１】
踵部のない二重編靴下であって、筒編地を二重にして、該筒編地の両端を重ねて弧状に縫合し、爪先の先端部としたことを特徴とする二重編靴下。
【請求項２】
踵部のない二重編靴下であって、筒編地を二重にして、該筒編地の両端を夫々弧状に縫合し、爪先の先端部としたことを特徴とする二重編靴下。
【請求項３】
踵部のない二重編靴下であって、爪先部以外の筒編地を二重にし、爪先部を一重に形成して、該爪先部上方の捨糸部で縫合したことを特徴とする二重編靴下。
【請求項４】
踵部のない二重編靴下をＫ式靴下編機で編成し、爪先部以外の筒編地が二重になるようにメークアップ編成し、トランスファーして一重の爪先部を形成し、該爪先部上方の捨糸部端で縫合したことを特徴とする二重編靴下の製造方法。
【請求項５】
筒編地が、リブ編またはパイル編またはリンクス柄編である請求項１または２または３記載の二重編靴下。
【請求項６】
筒編地が、一部または全部を挿入編地にした請求項１または２または３または４記載の二重編靴下とその製造方法。
【請求項７】
二重編地の内と外の編地を、異種の編糸にした１または２または３または４記載の二重編靴下とその製造方法。
【発明の詳細な説明】
【０００１】
【発明の属する技術分野】
本発明は、非常に暖かい二重編靴下とその製造方法に関するものである。
【０００２】
【従来の技術】
二重編靴下は保温性がよいので、従来から多くの先行技術が提案されている。即ち、実登第３０４５７１１号公報、実登第３０２９９０２号公報等があり、特に実登第３０２９６２１号公報は、表裏に異種の編糸を使用している。しかしこれは、滑止編成部を付設するものであり、また何れもが踵を有する靴下に関するものである。
【０００３】
また丸編機で編成される筒状編地を使用する場合、爪先部先端の処理が問題となる。この点の先行技術としての特開平９−２９１４０２号公報には、４枚の筒編地を、縫合することが開示されている。しかしこれは、爪先部上方の開放された捨糸部で縫合するものである。また実登第３０１４７９０号公報では、２枚づつ縫製して膨らさないようにした点が開示されている。しかしこれも、爪先部上方の開放された捨糸部で縫合するものである。さらに実登第３０１５４１９号公報には、足首より上が二重の靴下が開示されている。しかしこれは、別々に折り曲げて内側の図柄が見えるようにしたものである。そして何れもが、踵を有する靴下に関するものである。
【０００４】
しかし、踵部を有する従来の二重編靴下は、内側の編地が皺になりやすく、そのため履きづらいものとなっていた。またゲージ的にもソフトな編地にすると、そのままでは踵部が編みづらくなり、その解決策としても踵部をなくすことがよい方法となる。さらに踵部をなくすと、靴下が筒編状になって、上下の方向性がなくなるので、体の不自由な人でも片手で履ける位便利なものとなる。なお真直ぐな靴下は、足を切断した人用の靴下にもなりうるものである。
【０００５】
【発明が解決しようとする課題】
叙上の事情に鑑み本発明は、筒編地をそのまま使用して踵部のない二重編靴下の提供を課題とする。
【０００６】
【課題を解決するための手段】
本発明は、踵部のない二重編靴下であって、筒編地を二重にして、該筒編地の両端を重ねて弧状に縫合し、爪先の先端部とした二重編靴下を構成するものである。
【０００７】
また本発明は、踵部のない二重編靴下であって、筒編地を二重にして、該筒編地の両端を夫々弧状に縫合し、爪先の先端部とした二重編靴下を構成するものである。
【０００８】
さらに本発明は、踵部のない二重編靴下であって、爪先部以外の筒編地を二重にし、爪先部を一重に形成して、該爪先部上方の捨糸部で縫合した二重編靴下を構成するものである。
【０００９】
そしてまた本発明は、踵部のない二重編靴下をＫ式靴下編機で編成し、爪先部以外の筒編地が二重になるようにメークアップ編成し、トランスファーして一重の爪先部を形成し、該爪先部上方の捨糸部で縫合した二重編靴下の製造方法を構成するものである。
【００１０】
【発明の実施の形態】
以下本発明を、図面に基づいて詳細に説明する。図１は、本発明の全体を二重編にし爪先の先端で四枚を縫合した請求項１の靴下を示し、（イ）は一実施例の平面図、（ロ）は（イ）をＡ−Ａ線で切断した断面図である。
【００１１】
本発明の二重編靴下１は、踵部のない筒編地２からなっている。この筒編地２を履口部３（図１の（ロ）では右端）で折り返して二重にし、筒編地２の両端（図１の（イ）では上端）を重ねて、四枚の編地を一緒にして弧状に縫合し、爪先の先端部４とした。この編地は、平編５であるが、リブ編やパイル編やリンクス柄編等にすることもできる。
【００１２】
図２は、本発明の全体を二重編にし爪先の先端で同じく四枚を縫合した請求項１と請求項６の靴下を示し、（イ）は別の実施例の平面図、（ロ）は（イ）をＢ−Ｂ線で切断した断面図である。
【００１３】
本発明の二重編靴下１１は、踵部のない筒編地１２からなっている。この筒編地１２を履口部１３（図２の（ロ）では右端）で折り返して二重にし、筒編地１２の両端（図２の（イ）では上端）を重ねて、四枚の編地を一緒にして同じく弧状に縫合し、爪先の先端部１４とした。この編地は、土踏まず部１６を挿入編１５にして、締付組織にしている。この挿入編は、本実施例のように一部に止まらず全体に弾性糸を緩やかに挿入することもできる。なおその他の編地は、平編やリブ編やパイル編やリンクス柄編等にしている。
【００１４】
図３は、本発明の全体を二重編にし爪先の先端で二枚づつを夫々縫合した請求項２と請求項５の靴下を示し、（イ）はまた別の実施例の平面図、（ロ）は（イ）をＣ−Ｃ線で切断した断面図である。
【００１５】
本発明の二重編靴下２１は、踵部のない筒編地２２からなっている。この筒編地２２を履口部２３（図３の（ロ）では右端）で折り返して二重にし、筒編地２２の両端（図３の（イ）では上端）を重ねて、内側の編地２２ａの二枚と、外側の編地２２ｂの二枚とを夫々別個に弧状に縫合し、爪先の先端部２４とした。この実施例の場合には、先端部２４の嵩張りは解消される。この編地は、パイル編２５にしているが、平編やリブ編やリンクス柄編にすることもできる。
【００１６】
図４は、本発明の全体を二重編にし爪先の先端で二枚づつを夫々縫合した請求項２の靴下を示し、（イ）はさらに別の実施例の平面図、（ロ）は（イ）をＤ−Ｄ線で切断した断面図である。
【００１７】
本発明の二重編靴下３１は、踵部のない筒編地３２からなっている。この筒編地３２を履口部３３（図４の（ロ）では右端）で折り返して二重にし、筒編地３２の両端（図４の（イ）では上端）を重ね、内側の編地３２ａの二枚は横方向を弧状に縫合し、外側の編地３２ｂの二枚は縦方向を弧状に夫々別個に縫合して、爪先の先端部３４とした。この実施例の場合には、先端部３４の嵩張りは一層解消されている。この編地は、平編３５にしているが、リブ編やパイル編やリンクス柄編にすることもできる。
【００１８】
図５は、本発明の爪先部を一重にし、その他を二重編にして爪先部の捨糸部周辺にて縫合した請求項３と請求項５との爪先部を有する靴下を示し、（イ）はそしてまた別の実施例の平面図、（ロ）は（イ）をＥ−Ｅ線で切断した断面図である。
【００１９】
本発明の二重編靴下４１は、靴下編機によって編成され、踵部のない筒編地４２から、爪先部４７を形成してその上方の捨糸部４８まで編成される。この筒編地４２を履口部４３（図５の（ロ）では右端）で折り返して爪先部４７以外を二重にし、内側の編地４２ａの端を、爪先部４７の捨糸部４８周辺の位置で（先端部でない）、外側の編地４２ｂに縫合する。その際、爪先部４７上方の捨糸部４８の開放穴も同時に塞ぐようにしている。この編地は、リンクス柄編４５にしているが、平編やリブ編やパイル編にすることもできる。
【００２０】
図６は、本発明の爪先部を一重にし、その他を二重編にして爪先部上方の捨糸部で縫合した請求項４の爪先部を有する靴下を示し、（イ）はそしてさらにまた別の実施例の平面図、（ロ）は（イ）をＦ−Ｆ線で切断した断面図である。
【００２１】
本発明の二重編靴下５１は、Ｋ式靴下編機によって編成される。踵部のない筒編地５２から、爪先部５７を形成してその上方の捨糸部５８まで編成される。筒編地５２は、履口部５３（図６の（ロ）では右端）で折り返えされて、爪先部５６以外は二重にされ、捨糸部５８の手前でトランスファー５９して、内側の編地５２ａの端は外側の編地５２ｂにメークアップ編成される。なおトランスファー５９の位置は、捨糸部５８の手前の位置でなくても、捨糸部５８の位置で一緒に縫合させることもできる。爪先部５７上端の捨糸部５８の開放穴は、通常の靴下同様にその後に縫合して塞がれる。この編地は平編５５に限定される。
【００２２】
なお、切断した足用の靴下としては、踵部のない真直ぐな本発明の靴下が好ましく、その際は体重のかかる切断部の真下には、縫目のない図５と図６の靴下が良く、しかもパイル編にして肌への感触をやさしくするのもよかろう。
【００２３】
図７は、本発明に使用される請求項７の編地の一実施例を示す組織図である。本発明の靴下は、二重編地で構成されているので、内編地の編糸６０ａと、外編地の編糸６０ｂとを異種に変えることができる。例えば、内編地の編糸６０ａを吸湿性の綿糸にし、外編地の編糸６０ｂを丈夫なアクリル糸にしてもよい。特に汗を吸着させるという点では、内編地に綿糸の使用が好ましい。なお図７は、単糸使いにしたが、実際にはスパンと添糸編にする場合が多い。
【００２４】
【発明の効果】
本発明の靴下は、二重編で肉厚のために、保温性が抜群に良好である。
【００２５】
本発明の二重編靴下は、踵部をなくしたので、内編地に皺がよることなく、履きやすい靴下となっている。
【００２６】
本発明の各種靴下は、手足の不自由な介護者向きの靴下として、最適のものを提供することができる。
【００２７】
本発明の二重編靴下は、伸縮性に富む筒編地で構成しているので、踵部がないにも拘らず、足首部で弛むことなくフィットし、特に寒い地方のインナーソックス向きとして最適である。
【００２８】
本発明の二重編靴下で、爪先部だけ一重にすると、保温性を保って指先が蒸れることはない。
【図面の簡単な説明】
【図１】本発明の全体を二重編にし爪先の先端で四枚を縫合した請求項１の靴下を示し、（イ）は一実施例の平面図、（ロ）は（イ）をＡ−Ａ線で切断した断面図である。
【図２】本発明の全体を二重編にし爪先の先端で四枚を縫合した請求項１と請求項６の靴下を示し、（イ）は別の実施例の平面図、（ロ）は（イ）をＢ−Ｂ線で切断した断面図である。
【図３】本発明の全体を二重編にし爪先の先端で二枚づつを夫々縫合した請求項２と請求項５の靴下を示し、（イ）はまた別の実施例の平面図、（ロ）は（イ）をＣ−Ｃ線で切断した断面図である。
【図４】本発明の全体を二重編にし爪先の先端で二枚づつを夫々縫合した請求項２の靴下を示し、（イ）はさらに別の実施例の平面図、（ロ）は（イ）をＤ−Ｄ線で切断した断面図である。
【図５】本発明の爪先部を一重にし、その他を二重編にして爪先部の捨糸部周辺で縫合した請求項３と請求項５との爪先部を有する靴下を示し、（イ）はそしてまた別の実施例の平面図、（ロ）は（イ）をＥ−Ｅ線で切断した断面図である。
【図６】本発明の爪先部を一重にし、その他を二重編にして爪先部上方の捨糸部で縫合した請求項４の爪先部を有する靴下を示し、（イ）はそしてさらにまた別の実施例の平面図、（ロ）は（イ）をＦ−Ｆ線で切断した断面図である。
【図７】本発明の編地の一実施例を示す組織図である。
【符号の説明】
１，１１，２１，３１，４１，５１  二重編靴下
２，１２，２２，３２．４２，５２  筒編地
２２ａ，３２ａ，４２ａ，５２ａ    内側の編地
２２ｂ，３２ｂ，４２ｂ，５２ｂ    外側の編地
３．１３，２３，３３，４３，５３  筒編地の履口部
４，１４，２４，３４              爪先の先端部
５，３５，５５                    平編
１５                              挿入編
２５                              パイル編
４５                              リンクス柄編
１６                              土踏まず部
４７，５７                        爪先部
４８，５８                        爪先部の捨糸部
５９                              トランスファー
６０ａ                            内編地の編糸
６０ｂ                            外編地の編糸
【図１】
2004197288.tif 000003
【図２】
2004197288.tif 000004
【図３】
2004197288.tif 000005
【図４】
2004197288.tif 000006
【図５】
2004197288.tif 000007
【図６】
2004197288.tif 000008
【図７】
2004197288.tif 000009